(57)【要約】【課題】  表示部２５における電力消費を低く抑えて、これまで測定した生体情報の結果を常に表示可能とする生体情報表示装置１を提供することである。【解決手段】  被験者の生体情報を検知する検知部１０と、検知部１０からの情報に基づいて表示パターンを生成する制御部２０と、被験者の生体情報を表示するための表示部２５と、を備えた生体情報表示装置１において、前記表示部２５が繰返し書き込み可能な表示媒体２６にて被験者の生体情報を被験者に表示するものとなっている。【選択図】図２
2006087829.tif 000002
【特許請求の範囲】
【請求項１】
被験者の生体情報を検知する検知部と、検知部からの情報に基づいて表示パターンを生成する制御部と、被験者の生体情報を表示するための表示部と、を備えた生体情報表示装置において、前記表示部が繰返し書き込み可能な表示媒体にて被験者の生体情報を被験者に表示するものであることを特徴とする生体情報表示装置。
【請求項２】
時間計測機能を有するカウンタ部を備えて、前記制御部が、更にカウンタ部からの情報に基づいて時間情報を示す表示パターンを生成する機能を備えていることを特徴とする請求項１に記載の生体情報表示装置。
【請求項３】
前記制御部が、外部から入力された測定予定時刻とカウンタ部からの時間情報とにより、測定までの時間を算出して、測定を促す表示パターンを生成する機能を備えていることを特徴とする請求項２に記載の生体情報検知装置。
【請求項４】
電源としての電池を備えて、前記制御部が、更に電池の残量を示す表示パターンを生成する機能を備えていることを特徴とする請求項１から３のいずれかに記載の生体情報表示装置。
【発明の詳細な説明】
【技術分野】
【０００１】
本願発明は、主に血圧計等の被験者の生体情報を計測して表示する生体情報表示装置に関する。
【背景技術】
【０００２】
従来から、被験者の生体情報を検知する検知部と、検知部からの情報に基づいて表示パターンを生成する制御部と、被験者の生体情報を表示するための表示部と、を備えた血圧計等の生体情報表示装置は知られている（例えば、特許文献１）。
【０００３】
しかしながら、上記のような生体情報表示装置は、その表示部には生体情報を表示し続けるだけで電力を消費する発光層を備えた液晶ディスプレイ等が主に用いられている。そして、特に携帯用に用いられるような生体情報表示装置では、常に前回測定時の生体情報やこれまでの生体情報の測定結果の平均値を確認できることが望ましいが、電池を電源としているために表示部での消費電力を低く抑える必要があり、常に表示し続けることが困難であった。
【特許文献１】特開２００３−２９９６２６号公報
【発明の開示】
【発明が解決しようとする課題】
【０００４】
本願発明は、上記背景技術に鑑みて発明されたものであり、その課題は、表示部における電力消費を低く抑えて、これまで測定した生体情報の結果を常に表示可能とする生体情報表示装置を提供することである。
【課題を解決するための手段】
【０００５】
上記課題を解決するために、本願発明は、被験者の生体情報を検知する検知部と、検知部からの情報に基づいて表示パターンを生成する制御部と、被験者の生体情報を表示するための表示部と、を備えた生体情報表示装置において、前記表示部が繰返し書き込み可能な表示媒体にて被験者の生体情報を被験者に表示するものである。
【発明の効果】
【０００６】
本願発明の生体情報表示装置においては、表示部が繰返し書き込み可能な表示媒体にて被験者の生体情報を被験者に表示するものとなっているので、表示に変更がないときの表示部における電力消費がなく、これまで測定した生体情報の結果を常に表示させていても表示部における電力消費を低く抑えることができる。
【発明を実施するための最良の形態】
【０００７】
図１は、本願発明の請求項１・２・４に対応した実施形態１の生体情報表示装置１の全体図を示している。また、図２は図１の生体情報表示装置１のシステム構成図を、図３は図１の生体情報表示装置１の表示部２５における表示例を示している。この実施形態で用いる生体情報表示装置１は、被験者の生体情報を検知する検知部１０と、検知部１０からの情報に基づいて表示パターンを生成する制御部２０と、被験者の生体情報を表示するための表示部２５と、を備えた生体情報表示装置１において、表示部２５が繰返し書き込み可能な表示媒体２６にて被験者の生体情報を被験者に表示するものとなっている。
【０００８】
又、この実施形態で用いる生体情報表示装置１は、時間計測機能を有するカウンタ部１５を備えて、制御部２０が、更にカウンタ部１５からの情報に基づいて時間情報を示す表示パターンを生成する機能を備えているものとなっている。
【０００９】
又、この実施形態で用いる生体情報表示装置１は、電源としての電池を備えて、制御部２０が、更に電池の残量を示す表示パターンを生成する機能を備えている。
【００１０】
以下、この実施形態の生体情報表示装置１を、より具体的に説明する。この実施形態の生体情報表示装置１は、主に携帯用の血圧計等の生体情報表示装置１に用いられており、図１に示すように、阻血用カフ帯４５と装置本体５とを一体化したものとなっている。そして、装置本体５は、樹脂成形品の本体ケース６の内部に、阻血用カフ帯４５に空気を送るためのポンプ４０と、電気回路等よりなり時間計測機構を備えたカウンタ部１５と、電源としての電池と、電池の電圧を測定して電池の残量を検知する電池残量検知部３０と、それらを制御する制御部２０と、を内蔵しているものである。また、阻血用カフ帯４５と装置本体５の内部には、被験者の生体情報を検知するための圧力センサよりなる検知部１０が内蔵されているものである。さらに、装置本体５は、被験者が操作入力するための操作部３５と、測定した結果の生体情報を被験者に表示するための表示部２５とを有しており、被験者が操作部３５を操作して本体ケース６に内蔵されたポンプ４０から被験者の手首に巻いた阻血用カフ帯４５に空気が供給されて、被験者の最低・最高血圧を測定し、それらを表示部２５に表示するものとなっている。また、同時にカウンタ部１５で計測している時間情報（本実施形態では現在時刻）を使用時または未使用時を問わず常に表示部２５にて表示するものとなっている。
【００１１】
そして、この実施形態の生体情報表示装置１の表示部２５は、図２に示すように、光を照射することにより繰返し書き込み可能な表示媒体２６である光書き込み型の電子ペーパー２７と、制御部２０から送信された表示パターンの情報に応じて光を電子ペーパー２７に照射する光書き込み部２８と、電子ペーパー２７の厚み方向にパルス電圧を印加する駆動部２９と、で構成されている。
【００１２】
光書き込み型の電子ペーパー２７は、透明電極層の間に光導電層、表示素子層を介設させた構造を備えており、光導電層側から照射された光書き込み部２８からの光の光量により光導電層のインピーダンスを変化させて、駆動部２９から表示素子層に印可される電圧を制御し、表示素子層に所望の表示パターンを記録するものとなっている。そして、透明電極層は光を透過させる性質を持つ電極より構成されていればよく、ＩＴＯ電極等が好適である。また、光導電層は、電荷輸送性材料からなる電荷輸送層（ＣＴＬ）の上層側と下層側との両方に電荷発生層を設けたデュアルＣＧＬ構造の有機光導電体で構成されているものである。さらに、表示素子層は、ポリマーに分散したメモリー性を付与したネマチック液晶、コレステリック液晶、強誘電液晶のようの液晶表示素子を用いているものとなっている。
【００１３】
光書き込み部２８は、電子ペーパー２７に対向する面に、例えば、ＴＦＴを用いた液晶ディスプレイ、単純マトリックス型液晶ディスプレイ等の透過型ディスプレイを配置し、更に電子ペーパー２７が配されている側とは反対側に蛍光ライト、ハロゲンランプ、ＥＬライト等の光を照射するものを配設したものである。この他にも、電子ペーパー２７を制御できる照明装置であれば適用可能であり、光源は白色光に限定されずフィルタを用いて得られる有色光とすることも可能である。
【００１４】
駆動部２９は、制御部２０からの書き込み指令を検知して、駆動パルスを生成し、電子ペーパー２７の厚み方向にパルス電圧を印可することが可能な電気回路となっている。なお、駆動するパルスの波形としては、サイン波、矩形波、三角波等が適用可能であり、これらを組み合わせたもの、まったく任意の波形のものであっても適用可能である。
【００１５】
次に、この実施形態の表示部２５での表示パターンは、図３（ａ）に示すように、生体情報表示エリア５０、時間表示エリア５１および電池残量表示エリア５２とで構成されている。そして、被験者が操作部３５を操作して生体情報の測定を開始すると、操作部３５からの信号を検知した制御部２０がポンプ４０を駆動して阻血用カフ帯４５に空気を送る。そして、検知部１０で検知した情報に基づいて表示パターンとなる信号を表示部２５の光書き込み部２８に送信して、書き換えが必要な部位に対応する電子ペーパー２７の光導電層の部位に所定の光を照射してインピーダンスを変化させる。その後、駆動部２９に書き込み指令を送信して電子ペーパー２７の厚み方向にパルス電圧を印可し、図３（ｂ）に示す表示パターンを電子ペーパー２７の表示素子層に書き込む。そして、所定の時間間隔で現在の阻血用カフ帯４５に負荷されている検知部１０からの情報（圧力）を表示部２５の生体情報表示エリア５０に表示する。測定が終了すると、測定結果を検知部１０から得られた情報を基に制御部２０にて表示するべき生体情報を求める演算処理を行い、生体情報表示エリア５０に表示させる表示パターンを生成し、阻血用カフ帯４５に負荷されている圧力を表示するときと同様の制御を行って、図３（ａ）に示すように、生体情報の測定結果を表示するものである。なお、この表示パターンの生成時に、カウンタ部１５からの信号に基づいて現在の時刻情報を時間表示エリア５１に表示するための表示パターン、および電池残量検知部３０からの信号に基づいて電池の残量を電池残量表示エリア５２に表示するための表示パターンも、生体情報を表示するときの表示パターンを生成するときに同時に合成しているものである。そして、上記制御を行うことにより、一連の生体情報の測定は終了するものとなっている。その後、操作部３５への入力が行われるまで、図３（ｃ）に示すように、生体情報表示エリア５０に対応する位置にある光導電層への光照射を行うことなく、生体情報表示エリア５０に対応する位置の表示素子層が常に生体情報の測定結果を表示し続けるものである。また、時間表示エリア５１に対応する位置にある表示素子層は、操作部３５の入力の有無に関係なく、一分毎に時間表示エリア５１の書き換えをカウンタ部１５からの信号に基づいて行われるものとなっている。また、電池残量表示エリア５２の書き換えに関しては、電池残量検知部３０からの信号に基づき電池残量の表示変更が必要なときのみ、制御部２０にて表示パターンを生成し、駆動部２９および光書き込み部２８を制御して、電池残量表示エリア５２の書き換えを行うものである。
【００１６】
以上の構成を備えることにより、被験者の生体情報を検知する検知部１０と、検知部１０からの情報に基づいて表示パターンを生成する制御部２０と、被験者の生体情報を表示するための表示部２５と、を備えた生体情報表示装置１において、表示部２５が繰返し書き込み可能な表示媒体２６にて被験者の生体情報を被験者に表示するものとなっているので、表示に変更がないときの表示部２５における電力消費がなく、これまで測定した生体情報の結果を常に表示させていても表示部２５における電力消費を低く抑えることができるものである。
【００１７】
又、この実施形態で用いる生体情報表示装置１は、時間計測機能を有するカウンタ部１５を備えて、制御部２０が、更にカウンタ部１５からの情報に基づいて時間情報を示す表示パターンを生成する機能を備えていものとなっているので、書き換えが必要なときのみ電力を消費するだけであるので、そのため常に時間情報を表示させたときの表示部２５における電力消費を低く抑えることができるものである。
【００１８】
又、生体情報表示装置１が、電源としての電池を備えて、制御部２０が、更に電池の残量を示す表示パターンを生成する機能を備えているので、電池の残量がなくなって、測定したいときに測定できなくなる不具合を防止することができるものである。
【００１９】
図４は、上記実施形態と異なる本願の請求項３に対応した実施形態２の生体情報表示装置１の表示部２５における表示例を示している。上記実施形態との違いは、制御部２０が、外部から入力された測定予定時刻とカウンタ部１５からの時間情報とにより、測定までの時間を算出して、測定を促す表示パターンを生成する機能を備えていることであり、これにより被験者の測定忘れを防止することができるものとなっていることである。この実施形態においては、図４に示すように、予め操作部３５にて入力した測定予定時刻までの残りの時間を、カウンタ部１５からの時間情報に基づき制御部２０にて演算処理を行い、表示部２５の残り時間表示エリア５３を１分ごとに書き換えるようになっているものである。実施形態２に係る生体情報表示装置１は、この点を除いて基本的に実施形態１に係る生体情報表示装置１と同じであり、共通する部分については同じ符号を付して説明を省略する。
【００２０】
なお、実施形態１および２の生体情報表示装置１では、生体情報の測定結果として前回測定時の生体情報を表示するようにしていたが、これまでの生体情報の測定結果を平均値等の累積した結果として表示するようにしても良い。
【００２１】
なお、実施形態１および２の生体情報表示装置１では、表示部２５が繰返し書き込み可能な表示媒体２６として光書き込み型の電子ペーパー２７を用いたが、光書き込み部２８を電気書き込み部に変更して電気書き込み型の電子ペーパー２７を用いても良い。
【図面の簡単な説明】
【００２２】
【図１】本願発明の実施形態１に係る生体情報表示装置の全体図。
【図２】本願発明の実施形態１に係る生体情報表示装置のシステム構成図。
【図３】本願発明の実施形態１に係る生体情報表示装置の表示部における表示例。
【図４】本願発明の実施形態２に係る生体情報表示装置の表示部における表示例。
【符号の説明】
【００２３】
１    生体情報表示装置
５    装置本体
６    本体ケース
１０  検知部
１５  カウンタ部
２０  制御部
２５  表示部
２６  表示媒体
２７  電子ペーパー
２８  光書き込み部
２９  駆動部
３０  電池残量検知部
３５  操作部
４０  ポンプ
４５  阻血用カフ帯
５０  生体情報表示エリア
５１  時間表示エリア
５２  電池残量表示エリア
５３  残り時間表示エリア
【図１】
2006087829.tif 000003
【図２】
2006087829.tif 000004
【図３】
2006087829.tif 000005
【図４】
2006087829.tif 000006